(57)【特許請求の範囲】
【請求項１】
テレビジョン信号からの同期信号を分離する同期信号分離回路と、該同期信号分離回路からの出力により水平同期信号を抽出して、陰極線管の電子ビームの水平方向の偏向動作を行う水平偏向回路と、該同期信号分離回路からの出力により垂直同期信号を抽出して、陰極線管の電子ビームの垂直方向の偏向動作を行う垂直偏向回路とを備えるテレビジョン受像機において、
前記水平偏向回路は、前記水平同期信号に基づいた水平同期パルスを生成する水平同期パルス発生手段と、該水平同期パルスに基づき陰極線管の電子ビームを偏向する水平偏向コイルと、該水平偏向コイルに並列に接続された偏向電流を供給するための水平ドライブトランジスタと、該水平ドライブトランジスタに対して並列に配置されて直列接続された第１と第２のダイオードと、前記水平ドライブトランジスタに対して並列に配置されて直列接続された第１と第２のコンデンサと、前記水平偏向コイルに直列に接続されたＳ字補正用のコンデンサと、該Ｓ字補正用コンデンサに直列に接続されたダミーコイルと、該ダミーコイルに直列に接続され一端に垂直パラボラ波が印加されるダミーコンデンサと、前記第１と第２のコンデンサの接続中点が前記Ｓ字補正用のコンデンサと前記ダミーコイルに接続され、前記Ｓ字補正用のコンデンサに並列に接続された分割抵抗と、該分割抵抗の中点にゲートが接続され、ドレインが前記Ｓ字補正用コンデンサの一端に抵抗を介して接続され、ソースが前記Ｓ字補正用のコンデンサの他端に接続された電界効果トランジスタと、該電界効果トランジスタのゲートに接続された印加する電圧を可変する可変抵抗とからなり、前記電界効果トランジスタは水平走査期間の後半で生じる前記Ｓ字コンデンサの放電時に放電電流を流すようになされることを特徴とするテレビジョン受像機。
【発明の詳細な説明】
【０００１】
【発明の属する技術分野】
本発明は、テレビジョン受像機の偏向回路に関するものであり、特に、陰極線管で起因するピンクッション歪の補正回路を備えるテレビジョン受像機である。
【０００２】
【従来の技術】
従来、カラーテレビジョン受像機の陰極線管（以下ＣＲＴと言う）は、３本の電子ビームがシャドウマスクの同じ穴を同時に通り、それぞれ対応するように蛍光面の蛍光ドットに当たるようになされているが、この蛍光面に順次電子ビームを当てるために偏向を行うことによって、正しい位置に電子ビームが蛍光面に当たっていれば、正しい画像が得られるようになっている。
【０００３】
しかしながら、例えば、図３（Ａ）に示すような従来の曲面を持ったＣＲＴでは、電子銃１５ａからの電子ビーム１６ａ、１７ａを偏向ヨーク１３ａで偏向すると、蛍光面１２ａの曲率とビーム収斂面の曲率の違いにより、蛍光面１２ａと等しいう曲率を持っているシャドウマスク面１１ａでは電子ビーム１６ａが集中せず、画面の周辺部ほどシャドウマスク面の手前で集中することになる。この結果、ＣＲＴに表示される映像が歪んでしまう。この現象を所謂ピンクッション歪と呼んでいる。
【０００４】
この原因としては、偏向コイル１３ａの偏向中心とシャドウマスク面１１ａとの距離が偏向のある瞬間ごとに変わるためである。つまり、偏向角度によって、この距離が刻々と変わると共に、電子銃１５ａの配列から、その位置によって各電子ビームの間で距離が違うためである。
【０００５】
更に、この電子銃の配置の状態も、ＣＲＴの個々によって製造上のばらつきがあり、ＣＲＴ自身の品質の基準としてある程度の誤差は認められており、このばらつきにより、電子ビームの軌道がずれてしまうのである。
【０００６】
そこで、このような電子銃のずれによる対応として従来から行われていた技術としては、ＣＲＴのネック部分に配置されたコンバーゼンス・ピュリティ・マグネット１４ａ（以下ＣＰＭという）及び偏向ヨーク１３ａの取り付け位置を前後、左右に動かして、電子ビームの軌道を修正して、シャドウマスク面を通過した後の電子ビームの蛍光面へのランディングを適正化していた。
【０００７】
しかしながら、上述したような手法で電子ビームの軌道のずれは多少は改善されるけれども、もともと、電子ビームの軌道は電子銃の配置のずれによりずれているために十二分には改善されてはいない。
【０００８】
そこで、そのずれを改善する技術が特公昭５７−３９１０２号公報に示されている。この技術によれば、ダイオードモジュレーションと呼ばれる水平偏向回路に基づいて左右のピンクッション歪を補正することができるので、この回路と併用することで、電子ビームの軌道のずれに対応をしていた。
【０００９】
ところが、左右のピンクッションの歪は、左右のバランスが取れた歪であれば、上述した技術で改善されるが、ＣＲＴの電子銃の配置のずれは、傾きの具合によって左方向へより電子ビームがずれたり、或いは、反対の方向へずれてしまうため、左右のピンクッションの歪は、どうしてもアンバランスになってしまう。更に、ＣＲＴの個々により左右のずれの方向が異なる。それ故、従来の対策では完全な補正をすることはできなかったが、曲面を持ったＣＲＴでは、差ほど目立つものではなかった。
【００１０】
しかし、近年、ＣＲＴは、管面がフラットな所謂フラットＣＲＴと呼ばれるものが登場している。このＣＲＴによれば、映像をよりフラット感のある映像を表示できるようになっているのである。
【００１１】
このＣＲＴの構造は、図３（Ｂ）に示されるように、蛍光面１２ｂはフラットになっているが、シャドウマスク面１１ｂは周辺部がある程度、曲率を持っている構成のものや、図３（Ｃ）に示されるように、蛍光面１２ｃもシャドウマスク面１１ｃもフラットになっている構成を持っているものもある。
【００１２】
このようなフラットＣＲＴにおいても従来のＣＲＴ同様に左右ピンクッション歪が生ずるが、従来のＣＲＴよりも更にその歪のアンバランスが目立ってしまう。その原因としては、フラットＣＲＴは、蛍光面が平面であるため、その電子ビームがＣＲＴの周辺部に当たる距離と、中央部に当たる距離は差がでてしまう。特に、従来のＣＲＴにおいては、蛍光面が曲率を持っていたため、電子ビームがＣＲＴの周辺部に当たる距離と、中央部に当たる距離は蛍光面が曲率を持っているので、その距離差は当然大きくなる。
【００１３】
従って、従来のＣＲＴと同じように、電子銃の配置の誤差があると、フラットＣＲＴでは、その誤差による電子ビームの軌道のずれが、更に拡張されて、今まで目立たなかった左右のピンクッションの歪のバランスがより強調されたアンバランスとなるため、そのピンクッション歪が余計に目立つことになるのである。（図８参照）
これを補正するために、上述したダイオードモジュレーション方式のピンクッション歪補正回路で補正しても左右の歪が均等に補正されるので、アンバランスが目立った歪を補正することはできなかった。
【００１４】
【発明が解決しようとする課題】
本発明は、上述した点に鑑みなされたものであり、左右のアンバランスなピンクッション歪を適切に補正をしてバランスの取れた映像を表示することができるテレビジョン受像機を提供することを目的とするものである。
【００１６】
【課題を解決するための手段】
本発明は、テレビジョン信号からの同期信号を分離する同期信号分離回路と、該同期信号分離回路からの出力により水平同期信号を抽出して、陰極線管の電子ビームの水平方向の偏向動作を行う水平偏向回路と、該同期信号分離回路からの出力により垂直同期信号を抽出して、陰極線管の電子ビームの垂直方向の偏向動作を行う垂直偏向回路とを備えるテレビジョン受像機において、
前記水平偏向回路は、前記水平同期信号に基づいた水平同期パルスを生成する水平同期パルス発生手段と、該水平同期パルスに基づき陰極線管の電子ビームを偏向する水平偏向コイルと、該水平偏向コイルに並列に接続された偏向電流を供給するための水平ドライブトランジスタと、該水平ドライブトランジスタに対して並列に配置されて直列接続された第１と第２のダイオードと、前記水平ドライブトランジスタに対して並列に配置されて直列接続された第１と第２のコンデンサと、前記水平偏向コイルに直列に接続されたＳ字補正用のコンデンサと、該Ｓ字補正用コンデンサに直列に接続されたダミーコイルと、該ダミーコイルに直列に接続され一端に垂直パラボラ波が印加されるダミーコンデンサと、前記第１と第２のコンデンサの接続中点が前記Ｓ字補正用のコンデンサと前記ダミーコイルに接続され、前記Ｓ字補正用のコンデンサに並列に接続された分割抵抗と、該分割抵抗の中点にゲートが接続され、ドレインが前記Ｓ字補正用コンデンサの一端に抵抗を介して接続され、ソースが前記Ｓ字補正用のコンデンサの他端に接続された電界効果トランジスタと、該電界効果トランジスタのゲートに接続された印加する電圧を可変する可変抵抗とからなり、前記電界効果トランジスタは水平走査期間の後半で生じる前記Ｓ字コンデンサの放電時に放電電流を流すようになされることを特徴とするテレビジョン受像機である。
【００１７】
【発明の実施の形態】
以下、図面を参照しながら本発明の実施例を説明する。図１は本発明の実施例の具体的構成を示す回路であり、図２はテレビジョン受像機の信号処理部のブロック図を示している。
【００１８】
まず、図２において、１は、テレビジョン信号からのビデオ信号を抽出してビデオ信号を出力するビデオ信号処理回路、２は、ＣＲＴ１０へビデオ信号を出力するビデオ出力回路、３はテレビジョン信号から同期信号を抽出する同期分離回路、４は水平同期信号に基づいて水平パルスを発振する水平発振回路、５は水平パルスに基づいて水平偏向出力を供給する水平出力回路、６は垂直同期信号に基づいて垂直パルスを発振する垂直発振回路、７は垂直パルスに基づいて垂直偏向出力を供給する垂直出力回路、８は偏向コイル、９はＣＰＭ、１０はＣＲＴである。
【００１９】
次に、動作を説明する。テレビジョン信号を受信してビデオ信号処理回路１でビデオ信号を生成し、ビデオ出力回路２からＣＲＴ１０へビデオ信号を出力する。一方、ビデオ信号処理回路１からのビデオ信号の同期信号を同期分離回路３で分離し、水平同期信号を水平発振回路４へ出力し、垂直同期信号を垂直発振回路６へ出力する。そして、各同期信号に基づいて、水平パルス、垂直パルスを水平出力回路５、垂直出力回路７へ出力して、偏向コイルへ、水平偏向電流、垂直偏向電流を流すことによりＣＲＴ１０の電子ビームが偏向される。
【００２０】
そして、ピンクッション歪を補正する回路は水平出力回路５にある。この水平出力回路５の具体的な回路を図１に示す。この図１において、この回路は従来技術でも述べているダイオードモジュレーション方式の偏向回路であり、ＴＲ１は水平出力トランジスタ、Ｄ１はダイオード、Ｄ２はダミーダイオード、Ｃ１はコンデンサ、Ｃ２はダミーコンデンサ、ＤＹは水平偏向コイル、Ｃ３はＳ字補正用コンデンサ、Ｌはダミーコイル、Ｃ４はダミーコンデンサ、Ｒ１、Ｒ２は分割抵抗、Ｒ３、Ｒ５はバイアス可変用抵抗で、Ｒ５は可変抵抗、ＴＲ２は電界効果トランジスタ（以下ＦＥＴという）、Ｒ４はバイアス抵抗である。
【００２１】
次に、図１の動作について説明する。尚、ダイオードモジュレーションの水平偏向回路の具体的な動作は、特公昭５７−３９１０２号公報に詳しいので基本的な動作の説明は割愛することとする。まず、水平パルス出力が水平トランジスタＴＲ１に印加されると、偏向コイルＤＹに偏向電流が流れる。このときの偏向電流は、図４に示すようなノコギリ波であり、これに基づいて偏向動作がなされる。また、垂直周期期間で見た偏向電流は図５に示すようなものとなる。即ち、画面の中央部に対して周辺部の歪を画面の内側に補正するための偏向電流を小さくしている。これが従来から行われているピンクッション歪補正を行う偏向電流である。
【００２２】
しかしながら、このピンクッション歪の補正する方法では、左右が均等に補正されているため、図８の点線で示すような片側だけが特に歪んだ補正はできない。そこで、本発明は、図１に示すように、Ｓ字コンデンサＣ３に対して、並列に分割抵抗Ｒ１とＲ２を接続し、ＦＥＴＴＲ２を更に並列に接続して、ＦＥＴＴＲ２のゲートに可変用抵抗となる抵抗Ｒ３と可変抵抗Ｒ５を接続した構成を追加した。
【００２３】
以下にその補正の動作を述べる。通常、ＦＥＴＴＲ２のゲート−ソース間は、分割抵抗Ｒ１，Ｒ２及び、抵抗Ｒ３、可変抵抗Ｒ５により正方向にバイアスされている。即ち、図６で示すように水平走査期間をスタートとして、水平偏向電流が流れると偏向コイルＤＹを介して電流がＳ字補正コンデンサＣ３に流れて充電される。そして、走査期間後半において、Ｓ字補正コンデンサＣ３に充電された電荷が放電される。すると、放電電流の一部がＦＥＴＴＲ２を介して流れ始めるため、水平偏向電流が減少して、その振幅の上端が点線で示されるような状態から実線で示される状態に減少することになる。
【００２４】
この様に水平偏向電流の上部の振幅を低減させるための方法を述べる。ＦＥＴＴＲ２のゲート側に接続された可変抵抗Ｒ５を可変して、ゲート−ソース間のバイアス電圧を可変すると、ドレーン−ソース間の導通するレベルが可変されることになる。即ち、バイアス電圧がＦＥＴＴＲ２が持つ導通する閾値レベルよりも大きくなると、ゲートに加わる電圧が高くなり、ＦＥＴＴＲ２はオンしてドレイン−ソース間は導通する。これにより、Ｓ字補正用コンデンサＣ３に等しい電流がドレイン−ソース間に流れる。この期間が放電期間に生ずる。
【００２５】
これによりＳ字補正用コンデンサＣ３への放電電流の一部が、ＦＥＴＴＲ２へ流れ込んで行くため、水平偏向電流が減少して上部の振幅が低下することになる。逆に、Ｓ字補正コンデンサＣ３の両端に電荷を蓄積して充電をするときには、バイアス電圧がＦＥＴＴＲ２が持つ導通する閾値レベルよりも小さくなり、ＦＥＴＴＲ２はオフして、ドレイン−ソース間は導通しなくなる。
【００２６】
また、水平偏向電流の垂直周期でみてみると、図７に示すように、垂直周期の最初の部分と終わりの部分が水平偏向電流の振幅の上端部が低下している。これは、通常ダイオードモジュレーション方式の偏向回路であれば、図１に示しように垂直周期のパラボラ波を印加して、垂直期間の初めと終わり（画面の始めのほうと終わりの方）の振幅を低減するようにし、中央部（画面中央部）は振幅を大きくするような水平偏向電流としているためである。
【００２７】
このようなパラボラ波に基づいた水平偏向電流を更に、本発明の補正回路により、画面周辺部である左右の偏向電流の振幅を低下させることにより、画面の周辺部のピンクッション歪みを補正するようにしている。
【００２８】
即ち、本発明では、上述したように、更に、水平偏向電流の振幅を上端部のみを低下させるような動作をしているので、例えば、図８に示すような格子パターンでの点線から実線の如く、画面の始めと終わりの部分は、もともと水平偏向電流が小さいので、Ｓ字コンデンサＣ３の両端に生じる電圧が小さくなるため、ＦＥＴＴＲ２はオフの状態になり振幅の低下はない。例え、ＦＥＴＴＲ２がオンとなっても水平偏向電流が若干少なくなる程度である。
一方、中央部になれば、Ｓ字補正コンデンサＣ３へ流れる水平偏向電流の振幅が大きくなるので、Ｓ字補正用コンデンサＣ３の電圧も大きくなり、それによりＦＥＴＴＲ２がオンして水平偏向電流の一部が流れることになり、水平偏向電流の振幅を大きく減少させる。
【００２９】
故に、本発明は、図８のようにアンバランスなピンクッション歪による画面を補正できのである。
【００３０】
尚、補正量の調整は、可変抵抗Ｒ５によってゲートへのバイアス電圧を変えることによって実現できるので、ＣＲＴごとに異なる補正量を調整してアンバランスなピンクッション歪みを補正することができる。
【００３１】
更に、本発明では、ＦＥＴＴＲ２をスイッチング素子として用いているが、その理由としては、バイポーラトランジスタは電流駆動型のトランジスタであるため、ベース電流を流す必要がある。そのためバイアス回路に流す電流が大きくなり、その電流が水平偏向電流の波形に大きな影響を与える。これに対して、ＦＥＴは、電圧駆動型トランジスタであるため、バイアス回路に流す電流が小さくてすむため、水平偏向電流に対する影響が少ないという大きな利点がある。特に、本発明の補正回路では、水平偏向電流の波形に影響を与えず、ピンクッション歪みを補正するようにするため、ＦＥＴを用いることは必要不可欠な構成であると考える。
【００３２】
【発明の効果】
以上、本発明によれば、フラットＣＲＴで生じるアンバランスな画像のピンクッション歪みを適切に補正することができるいう多大なる効果を得ることができる。
【図面の簡単な説明】
【図１】本発明の実施例を示す回路。
【図２】テレビジョン受像機のブロック図。
【図３】陰極線管の構成を説明するための図。
【図４】従来の水平偏向電流波形を示す図。
【図５】従来の垂直周期の水平偏向電流波形を示す図。
【図６】本発明の水平偏向電流波形を示す図。
【図７】本発明の垂直周期の水平偏向電流波形を示す図。
【図８】陰極線管への画面表示の状態を示す図。
【符号の説明】
ＴＲ１    水平出力トランジスタ
ＴＲ２    電界効果トランジスタ
Ｄ１      ダイオード
Ｄ２      ダイオード
Ｃ１      コンデンサ
Ｃ２      コンデンサ
Ｃ３      Ｓ字補正用コンデンサ
Ｃ４      コンデンサ
ＤＹ      水平偏向コイル
Ｌ        コイル
Ｒ１      分割抵抗
Ｒ２      分割抵抗
Ｒ３      バイアス抵抗
Ｒ４      バイアス抵抗
Ｒ５      可変抵抗
【図１】
0003561686.tif 000002
【図２】
0003561686.tif 000003
【図３】
0003561686.tif 000004
【図４】
0003561686.tif 000005
【図５】
0003561686.tif 000006
【図６】
0003561686.tif 000007
【図７】
0003561686.tif 000008
【図８】
0003561686.tif 000009